(57)【特許請求の範囲】
【請求項１】
乳母車へ装着して用いられる乳母車用日除け装具であって、
紫外線非透過性と伸縮性を有する本体シート部を、上記乳母車の上方を覆う大きさに形成して備え、
上記本体シート部の外周部に、たわみ変形可能な棒状の芯材を、上記本体シート部の前方側が弧状になるようＵ字形状に取り付け、
上記本体シート部の左右両側における上記芯材よりも外側に、伸縮性を有する耳部を備え、
上記耳部の先端側に、上記乳母車に取り付ける固定手段を備え、
上記本体シート部における上記芯材が存在しない後端部に、該芯材の左右両端部同士が互いに近接する方向に付勢する伸縮可能な付勢部材を設けた
乳母車用日除け装具。
【請求項２】
上記耳部に、哺乳瓶と略同サイズの物品を収納可能な袋体を備え、
上記芯材を、上記袋体に収容可能な大きさにまでたわみ変形自在に形成し、
上記袋体は、乳母車用日除け装具本体の該袋体を除く部分を畳んで収納可能な大きさに形成した
請求項１に記載の乳母車用日除け装具。
【発明の詳細な説明】
【技術分野】
【０００１】
この発明は、直射日光、紫外線をはじめ、風、粉塵、排気ガスなどの外的要因から乳幼児を保護するために、乳母車に装着して用いられる例えば、乳母車用日除け装具に関する。
【背景技術】
【０００２】
従来から乳児を上記外的要因から保護するために、乳母車に取り付けて用いる様々な器具が提案されている。
【０００３】
例えば、下記特許文献１において、乳母車の略全体に覆い被して用いられるベビーカー用ウィンドスクリーンアセンブリ（以下、アセンブリという）と呼ばれるものが提案されている。
【０００４】
上記アセンブリは、乳母車に取り付けたとき、乳母車の左右両側に配されるパネル部材を有している。該パネル部材の周縁部には、弾性材からなるループと呼ばれる部材を形成している。
【０００５】
さらに、上記乳母車の左右両側に有する上記ループ間には、該乳母車と略同じ幅を有するカバー部材を形成している。
【０００６】
しかし、例えば、上記アセンブリを乳母車への取り付ける際には、上記乳母車の略全体に覆い被して行う。このため、該アセンブリを乳母車の上部高さまで持ち上げて着脱する必要があり、面倒である。
【０００７】
また、上記アセンブリは、そのサイズが予め決まっているため、乳母車のサイズ、種類などによって、乳母車に対して安定して取り付けることができない事態が生じる。このため、乳母車に取り付けたとき、表面に皺や弛みが生じて、取り付け後の見栄えが悪化することや、風が吹いたときに、取り付け状態が不安定になることもある。
【０００８】
その他、乳児とコンタクトをとる場合、或いは、乳母車周辺の環境が変化した場合においても、上記アセンブルは、乳母車から取り外すか、装着しておくかのいずれかの状態しか選択することができず、不便である。
【０００９】
【特許文献１】特開２０００−１４２４２１号公報
【発明の開示】
【発明が解決しようとする課題】
【００１０】
そこで本発明では、如何なるサイズ、種類の乳母車に対しても見栄えよく装着でき、装着した状態のまま乳児の世話などもできる乳母車用日除け装具の提供を目的とする。
【課題を解決するための手段】
【００１１】
本発明の乳母車用日除け装具は、乳母車へ装着して用いられる乳母車用日除け装具であって、紫外線非透過性と伸縮性を有する本体シート部を、上記乳母車の上方を覆う大きさに形成して備え、上記本体シート部の外周部に、たわみ変形可能な棒状の芯材を、上記本体シート部の前方側が弧状になるようＵ字形状に取り付け、上記本体シート部の左右両側における上記芯材よりも外側に、伸縮性を有する耳部を備え、上記耳部の先端側に、上記乳母車に対する固定を行う固定手段を備え、上記本体シート部における上記芯材が存在しない後端部に、該芯材の左右両端部同士が互いに近接する方向に付勢する伸縮可能な付勢部材を設けたことを特徴とする。
【００１２】
上記芯材は、例えば、アルミニウム、弾性プラスチック、チタン合金、形状記憶合金、銅などで形成することができる。
【００１３】
上記固定手段は、例えば、紐状の部材に面ファスナ、スナップ、フォックを取り付けて形成したものや、乳母車のフレーム軸に対して嵌合により取り付け可能な例えば、Ｃ環状の部材であってもよい。
【００１４】
上記付勢部材には、例えば、ゴム紐やコイルバネなどを含む。
【００１５】
上記乳母車用日除け装具は、上記耳部に、哺乳瓶と略同サイズの物品を収納可能な袋体を備え、上記芯材を、上記袋体に収容可能な大きさにまでたわみ変形自在に形成し、上記袋体を、乳母車用日除け装具本体の該袋体を除く部分を畳んで収納可能な大きさに形成することができる。
【発明の効果】
【００１６】
請求項１に記載の発明によれば、乳母車用日除け装具は、伸縮性を有する耳部を伸張した状態で固定手段を乳母車に固定することにより、本体シート部を乳母車の幌に対して密着した状態でしっかりと取り付けることができる。その際、本体シート部は、伸縮性を有するため、皺や弛みが生じ難く、良好な見栄えで乳母車に対して取り付けることができる。
【００１７】
さらに、本体シート部は、伸縮性を有するため、本体シート部の後端部により幌体と背凭れ部との間の隙間を、閉塞することができるとともに、付勢部材の付勢力により、本体シート部の後端側が弛んだり、風などで捲りあがったりすることがなく、しっかりと、且つ、スムーズに取り付けることができる。
【００１８】
請求項２に記載の発明によれば、上記耳部は、袋体を備えているため、該袋体に哺乳瓶をはじめとしてこれと略同サイズの物品を収納することができる。さらに、上記芯材は、たわみ変形自在に形成しているため、乳母車から取り外した後は、該芯材を含めて乳母車用日除け装具本体の該袋体を除く部分を、芯材の復元力により不測に本体シート部が広がることがなくしっかりと畳んで上記袋体に収納することができる。このため、乳母車用日除け装具の持ち運びが容易となり、別途、収納用袋を用意する必要もない。
【発明を実施するための最良の形態】
【００１９】
この発明の一実施形態を、以下図面を用いて説明する。  
図１は、乳母車Ａに本実施形態に係る乳母車用日除け装具１１を取り付けたときの乳母車用日除け装具１１の表面を示し、図２は、該乳母車用日除け装具１１の裏面を示す。
【００２０】
上記図１、図２に示したように、上記乳母車用日除け装具１１の中央部には、本体シート部１２を有している。上記本体シート部１２は、メリヤス生地で形成し、非紫外線透過性と伸縮性を有している。
【００２１】
上記本体シート部１２は、乳母車Ａの上方を覆う大きさに形成し、一方の側（図１の下部側）は平面視矩形形状に形成し、他方の側（図１の上部側）は、平面視略円弧状に形成している。
【００２２】
さらに、上記本体シート部１２の後端部を除いた外周部沿いに、たわみ変形可能な合成樹脂製の棒状の芯材１３を、略逆Ｕ字形にたわみ変形させて取り付けている。これにより、本体シート部１２を、展開した状態に保つことができる。
【００２３】
また、上記本体シート部１２における上記芯材１３が存在しない後端部沿いには、ゴム紐１４を縫着している。  
これにより、芯材１３の左右後端部が互いに近接される方向に付勢するため、本体シート部１２の後端側は、幅小となっている。
【００２４】
また、本体シート部１２の後端における幅方向の両側には、ベルト状の紐部材１５の一端側を縫着している。そして、上記紐部材１５には、図３に示したように、その表面における先端側、及び後端側には、一対の面ファスナ1６ａ，１６ｂをそれぞれ縫着している。  
また、本体シート部１２の左右両側には、正面視三角形状をした耳部１７（1７ａ，１７ｂ）をフラップ状に縫着している。
【００２５】
本体シート部１２の左右各側の耳部１７の突出方向の基端部分１８（基部１８）は、正面視三角形状をした耳部１７の底辺側部分を示し、該基端部分１８の幅は、該耳部１７を本体シート部１２に取り付けたとき、棒状の芯材１３の長さの３分の１程度を占める幅を備えて形成している。  
さらに、耳部１７の先端部にも、本体シート部１２と同様にベルト状の紐部材２１の一端側が縫着され、該紐部材２１の表面における先端側、及び、後端側には一対の面ファスナ２２ａ，２２ｂが縫着されている。  
なお、上記一対の面ファスナ（1６ａ，１６ｂ、又は２２ａ，２２ｂ）に限定せず、その他フォック、スナップなどでもよい。或いは、直接、フレーム軸に対して紐部材（１５、又は２１）で結び留める構成であってもよい。
【００２６】
そして、耳部１７も、本体シート部１２と同様にメリヤス生地で形成している。但し、上記耳部１７は、２枚のメリヤス生地を重合させて形成している。
【００２７】
具体的に、上記耳部１７は、互いに重合させたメリヤス生地の周縁部を縫着することにより、一体としている。  
さらに、耳部１７における表面側であって、耳部１７の基端部分１８側における幅方向の中間部位には、開口部２３を形成し、耳部１７を、袋状に形成している。
【００２８】
加えて、図１における右側に位置する側の袋状に形成した耳部１７ａには、図４に示したように、その内部に、物品収納用の袋体２４を形成している。
【００２９】
これにより、上記袋体２４に哺乳瓶Ｂなどを収納しておくことができる。なお、２枚の生地の内部に設けた袋体２４に哺乳瓶Ｂを収納することができるため、該哺乳瓶Ｂの保温性も確保できる。
【００３０】
また、上述したように耳部１７を袋状に形成することにより、例えば、乳母車用日除け装具１１における左側の耳部１７ａを除いた全ての部位を、畳んでいき、その畳んだ部位を図５に示したように袋状の耳部１７ａ内に収容することができる。  
なお、上記耳部は、予め、該耳部以外の部位を畳んで収納可能な大きさに形成し、特に、芯材は、耳部内に収納可能な程度にたわみ変形可能に形成されている。
【００３１】
なお、図５では、左側の耳部１７ａに乳母車用日除け装具１１における上記畳んだ部位を収納した状態を示す。  
勿論、芯材１３はたわみ変形するため、畳んで収納する際は、芯材１３も含めて、袋状の耳部１７に収納することができる。
【００３２】
このように、コンパクトに収納できるため、乳母車用日除け装具１１の持ち運びが容易である。また、乳母車用日除け装具１１の収納用の袋を別途、用意する必要もない。
【００３３】
再度、乳母車用日除け装具１１を使用する際には、袋状の耳部１７内から乳母車用日除け装具１１における折り畳んだ部位を取り出すだけで乳母車用日除け装具１１を、直ぐに使用できる状態に復元できる。
【００３４】
なぜなら、袋状の耳部１７から取り出した部位は、たわみ変形させた芯材１３の復元力が作用するためであり、この復元力により乳母車Ａへ取り付け可能な状態へ乳母車用日除け装具１１は、自発的に展開されるためである。
【００３５】
上記構成を採る乳母車用日除け装具１１は、図６のように乳母車Ａに取り付けることができる。乳母車Ａへの具体的な取り付け手順は、まず、例えば図２０に示したような乳母車Ａに予め取り付けられた幌体Ｃなどの上側に、乳母車用日除け装具１１における本体シート部１２を覆う。
【００３６】
そして、本体シート部１２の後端側に有する上記２本の紐部材１５をハンドルＡ１近傍の左右両側のフレーム軸Ａ２に巻き付けた後、一対の面ファスナ1６ａ，１６ｂどうしを重合させて取り付ける。
【００３７】
続いて、耳部１７の先端側に有する上記紐部材２１についても、適度に張力が作用するよう乳母車Ａの下側に耳部１７を伸張させた状態で該紐部材２１をフレーム軸Ａ５に取り付ける。  
そして、乳母車Ａに取り付けた状態で、前側に有する芯材１３を適宜、反り返らせて紫外線などを遮る度合いを調節すればよい。
【００３８】
また、耳部１７に着目すると、このように芯材１３を下ろした状態のときは、図７に示したように耳部１７の基端部分１８における幅方向の中央部と先端側との間が特に伸張した状態となる。
【００３９】
このように、耳部１７が積極的に伸張することで、本体シート部１２は、該幌体Ｃに密着し、安定するとともに見栄えよく乳母車Ａに取り付けることができる。
【００４０】
さらに、上述したように乳母車用日除け装具１１を乳母車Ａに対して取り付ければ、乳母車Ａの上方、及び前方には、紫外線非通過性を有する本体シート部１２が存在し、乳母車Ａの左右両側においても紫外線非通過性を有する耳部１７が存在する。  
このため、乳母車Ａの前方から差し込む日差しや紫外線を本体シート部１２、及び、耳部１７により、さらに吸収、或いは、遮断することができる。
【００４１】
また、乳母車Ａの背面について着目すると、図８に示したように、幌体Ｃと背凭れ部Ａ３との間の隙間も、本体シート部１２によって閉塞することができる。しかも、本体シート部１２の後側が背凭れ部Ａ３の上部を覆った状態で後端側に有するゴム紐１４が背凭れ部Ａ３に密着する。これにより、本体シート部１２の後端側が弛んだり、風などで捲りあがったりすることもない。
【００４２】
続いて、例えば、保護者が世話をする場合などにおいて、乳母車Ａの前方を開放する手順について説明する。  
まず、図９に示したように乳母車Ａの前方を開放したい分だけ芯材１３の前部を上側に反り返らせる。芯材１３をこのような形態とした場合は、図１０に示したように耳部１７における基端部分１８の幅方向の両側が積極的に伸張する。このため、乳母車用日除け装具１１がこの形態の場合であっても、本体シート部１２が幌体Ｃに密着した状態に保つことができる。
【００４３】
すなわち、反り返った芯材１３の復元力が作用しても、幌体Ｃ上に有する本体シート部１２が前方に摺動することなく芯材１３が反り返った状態を保つことができる。
【００４４】
以上により、乳母車用日除け装具１１をいちいち乳母車Ａから取り外さなくても、上述したように、適宜、乳母車Ａの前方を開放したり、開放する度合いを調節するだけで、乳児の世話をしたり様子を伺うことなどができる。
【００４５】
次に、他の実施形態に係る乳母車用日除け装具３１として、図１１に示したように、耳部３２（３２ａ，３２ｂ）は、メッシュ地で構成することができる。なお、本実施形態における耳部３２は、１枚の生地で形成し、上述のように袋状には形成していない。
【００４６】
上述のように上記耳部３２を形成すれば、図１２のように本体シート部１２を下げている状態であっても、乳母車用日除け装具３１の通気性が向上するため、乳母車Ａに乗車している乳児の快適性を確保することができる。しかも、本体シート部１２により、乳母車Ａの上方、或いは前方から入射してくる紫外線や日光は、本体シート部１２が遮断、或いは、吸収するため、乳児を紫外線などから保護することができる。
【００４７】
次に、乳母車Ａの前方が開放するよう芯材１２の前方側を反り返り状態に保持するための繋止部材について説明する。  
本実施形態における繋止部材の構成は、以下のとおりである。まず図１３（ａ）に示したように、上記本体シート部１２の表面における後端部には、ベルト状のゴム紐３５と、折り畳んだ該ゴム紐３５を収納可能な大きさを有する収納用片部材３６とを縫着している。
【００４８】
上記ゴム紐３５には、その先端側に一方の面ファスナ３７ａを縫着している。上記収納用片部材３６には、該収納用片部材３６を２つ折りにしたとき、互いに係止可能な部位に一対のスナップ３８を幅方向の両端に固着している。
【００４９】
さらに、図１３（ｃ）に示したように、本体シート部の裏面における前方側には、上記一方の面ファスナ３７ａと係合する他方の面ファスナ３７ｂを縫着している。
【００５０】
上記構成を採る乳母車用日除け装具７１は、芯材１３を上方に反り返した状態において、ゴム紐３５を前方側に配し、上記一方の面ファスナ３７ａと他方の面ファスナ３７ｂとを係合させることができる。
【００５１】
これにより、上記ゴム紐３５によって、図１４に示したように乳母車用日除け装具７１の前方側と後方側とを繋止することができ、乳母車Ａの前方が開放された状態に保持することができる。
【００５２】
一方、本体シート部１２の前側を下げ降ろした場合、ゴム紐３５は不要となるので、図１３（ｂ）のように、該ゴム紐３５を折り畳んで収納用片部材３６の近傍に配し、スナップ３８により係止することで収納用片部材３６に収納することができる。
【００５３】
さらに、他の繋止部材に係る実施形態として、乳母車用日除け装具４１には、繋止用紐部材４２を具備してもよい。上記繋止用紐部材４２は、一方の端部側において２つに分岐して略Y字形に形成している。そして、それぞれの端部にフック４３ａ，４３ｂが取り付けられ、合計３つのフック４３ａ，４３ｂを備えている。
【００５４】
上記構成を採る繋止用紐部材４２は、図１５に示したように当該繋止用紐部材４２の分岐している側の２つのフック４３ａを乳母車Ａの左右両側のフレーム軸Ａ２に係合し、分岐していない側のフック４３ｂを本体シート部１２の前端側へ係合する。
【００５５】
これにより、芯材１３が反り返らせた状態のままであっても該芯材１３が下がってくることがない。例えば、歩行中に乳母車Ａが振動しても、芯材１３がずれ下がることがないため、いちいち取り外すことなく、取り付けた状態のままでも、安心して歩行できる。
【００５６】
さらに、上記芯材１３の前側を反り返り状態に保持する他の実施形態として、図１６のように構成してもよい。  
すなわち、本実施形態に係る乳母車用日除け装具８１には、乳母車Ａのフレーム軸Ａ２に取り付け可能なゴム紐４５ａの一端側にフック４５ｂを取り付けた係合部材４５を具備している。
【００５７】
上記本体シート４８部には、上記係合部材４５が芯材１３に係合可能なスリット４７を形成している。
【００５８】
上記構成の場合、上記２つの係合部材４５をそれぞれ、乳母車Ａの左右両側において取り付けるとともに、芯材１３に係合させることで、該芯材１３を積極的に下側にたわみ変形させることができる。この状態を維持することで、本体シート部４８が幌体Ｃにより密着させて、芯材１３を反り返った状態を保持することができる。
【００５９】
次に、他の実施形態に係る乳母車用日除け装具５１として、図１７に示したように、本体シート部１２に支持用芯材５２を具備してもよい。具体的には、たわみ変形可能な支持用芯材５２を、乳母車用日除け装具５１の表面における前後方向の略中間部において、左右方向にかけて湾曲させて配している。
【００６０】
上記構成を採る乳母車用日除け装具５１を乳母車Ａに対して装着したとき、支持用芯材５２は、弓状へとたわみ変形する。そして、該支持用芯材５２は、上記本体シート部１２を支持することができる。
【００６１】
すなわち、乳母車Ａに幌体Ｃが取り付けられていなくても、乳母車用日除け装具５１であれば乳母車Ａに対して、見栄えよく取り付けることができる。支持用芯材５２は、芯材１３を上側に反り返した形状とした場合においても、芯材１３の反り返り状態が保たれるよう収縮した状態の本体シート部１２が前方へ摺動しないよう支持することができる。
【００６２】
また、乳母車用日除け装具５１は、本体シート部１２、及び耳部１７に対して上記支持用芯材５２を着脱可能に形成している。このため、不使用時には、乳母車用日除け装具５１を乳母車Ａから取り外した後、横架させている支持用芯材５２を抜き取れば、これらを互いに分離できる。
【００６３】
上記支持用芯材５２を抜き取った乳母車用日除け装具５１は、上述したように畳んで耳部１７に収容し、支持用芯材５２については、たわみ変形させて、該耳部１７内に一緒に収容すればよい。
【００６４】
なお、上記支持用芯材５２は、一本に限定せず、２本以上具備してもよい。また、必要であれば、縦方向に配してもよい。
【００６５】
さらに、他の実施形態に係る乳母車用日除け装具６１として、乳母車用日除け装具６１は、乳母車Ａに対して図１８に示した取り付け形態となるよう形成することができる。
【００６６】
すなわち、図１８に示したように、上記耳部６２（６２ａ，６２ｂ）は、乳母車Ａの背面側を包囲可能な、大きさ、及び、形状に形成している。そして、左右両側の上記耳部６２における先端部沿いには、一対のスライドファスナ６４を縫着している。
【００６７】
さらに、本体シート部６３の後端側には、上記ゴム紐１４は形成せず、後方側フラップ６５を形成し、該後方側フラップ６５と上記耳部６２とが重合する部位には、それぞれ一対のスナップ６６を固着している。
【００６８】
上記構成を採れる乳母車用日除け装具６１の乳母車Ａへの取り付けは、乳母車Ａの背面側を左右両側から上記耳部６２で包囲し、互いに対向する耳部６２の端部どうしをスライドファスナ６４で係合する。さらに、本体シート部６３の後方側フラップ６５により耳部６２の上部を被覆し、耳部６２と後方側フラップ６５とが重合する部位をスナップ６６で係止すれば、取り付けることができる。
【００６９】
このように取り付ければ、上記紐部材１５，２１などを用いて耳部６２をフレーム軸Ａ２，Ａ５に直接、取り付ける必要がなく、しかも、乳母車Ａの背面側へ耳部６２を取りまわすことで、該耳部６２を積極的に伸張させることができる。  
よって、乳母車用日除け装具６１を、より強固に乳母車Ａへ取り付けることができる。  
また、後方側フラップ６５を設けることで、上記ゴム紐１４を設けた場合と同様、本体シート部６３と背凭れ部Ａ３との間に隙間が生じることもない。
【００７０】
次に、他の実施形態に係る乳母車用日除け装具について説明する。  
乳母車用日除け装具は、畳んで上述したように耳部１７内に収納できる（図５参照）。しかし、実際には、本体シート部１２が展開する上で必要となる芯材の弾性力、耳部１７や乳母車Ａ自体の大きさなどの要因により、芯材１３をたわみ変形させて耳部１７内に収容することが困難となる場合がある。この場合において、本実施形態に係る乳母車用日除け装具９１は有効となる。
【００７１】
すなわち、芯材５５は、長さ方向における所定部位において分割された長さを有する連結用芯材５６を連結して構成するとよい。  
具体的には、図１９（ａ）に示したように、上記連結用芯材５６も、弾性体で形成し、連結される端部側には、連結部５７を形成している。  
なお、図１９は、図６中の本体シート部５８前側における領域Ｘの部位に相当する部位である。
【００７２】
上記連結用芯材５６の一方の連結部５７には、突起部５７ａを形成し、該連結用芯材５６と連結される他方の連結用芯材５６における連結部５７には、上記突起部５７ａに差し込み可能な差し込み穴部５７ｂを形成している。  
なお、上記突起部５７ａは、単に芯材５５をたわみ変形させた程度では抜けず、積極的に差し込み穴部５７ｂから抜こうとしなければ抜けないような嵌め合い公差、及び差し込み長さで形成している。
【００７３】
上記構成を採る芯材５５は、本体シート部１２の縁部に通された状態で一体に縫着されているが、芯材５５を通したとき、連結部５７に相当する部位には、該連結部５７が外部に露出するよう本体シート部１２の生地が存在しない形態としている。  
なお、本実施形態における芯材５５は、２分割が可能に２つの連結用芯材５６を連結して形成している。
【００７４】
乳母車に対して乳母車用日除け装具９１の装着時には、上記芯材５５は、上述した分割不可能な芯材１３と同様にたわみ変形させて用いることができる。すなわち、上記芯材５５は、たわみ変形させても、図１９（ａ）に示したように連結部５７を、連結用芯材５６が連結した状態に維持できる。
【００７５】
また、乳母車用日除け装具９１を収納する場合は、本体シート部１２の生地から上記露出した連結部５７を図１９（ｂ）のように分離させてから連結用芯材５６ごとにたわみ変形させながら畳み、耳部１７内に容易に、且つ、コンパクトに収納できる。
【００７６】
上記連結部５７は、上記形態に限定せず、例えば、螺合により連結する形態であってもよい。或いはゴム管などのアダプタを介して連結する形態であってもよい。  
さらに、支持用芯材５２も連結可能に分割して形成してもよい。
【００７７】
上述の実施形態と、この発明の構成との対応において、この実施形態の紐部材１５及び一対の面ファスナ１６、又は、紐部材２１及び一対の面ファスナ２２は、この発明の固定手段に対応し、以下同様に、
ゴム紐１４は、付勢部材に対応するも、この発明は、上述の実施形態の構成のみに限定されるものではなく、多くの実施の形態を得ることができる。
【図面の簡単な説明】
【００７８】
【図１】表側から視た乳母車用日除け装具を示す平面図。
【図２】裏側から視た乳母車用日除け装具を示す平面図。
【図３】乳母車用日除け装具の紐部材、及び面ファスナを示す外観図。
【図４】乳母車用日除け装具の袋状の耳部を示す外観図。
【図５】乳母車用日除け装具を収納した状態を示す外観図。
【図６】乳母車用日除け装具を装着した状態の乳母車の外観図。
【図７】乳母車用日除け装具を装着した状態の乳母車の右側面図。
【図８】乳母車用日除け装具を装着した状態の乳母車の背面図。
【図９】乳母車用日除け装具を装着した状態の乳母車の外観図。
【図１０】乳母車用日除け装具を装着した状態の乳母車の右側面図。
【図１１】他の乳母車用日除け装具を示す平面図。
【図１２】他の乳母車用日除け装具を装着した状態の乳母車の外観図。
【図１３】他の乳母車用日除け装具の要部を示す説明図。
【図１４】繋止用紐部材を取り付けた状態を示す説明図。
【図１５】他の繋止用紐部材を取り付けた状態を示す説明図。
【図１６】他の乳母車用日除け装具を示す側面図。
【図１７】他の乳母車用日除け装具を示す平面図。
【図１８】他の乳母車用日除け装具を装着した状態の乳母車の平面図。
【図１９】図６における領域Ｘに相当する部位の拡大図。
【図２０】幌体が装着された乳母車を示す外観図。
【符号の説明】
【００７９】
１１，３１，４１，５１，６１，７１，８１，９１…乳母車用日除け装具
１２，６３，５８…本体シート部
１３，５５…芯材
１４…ゴム紐
１５…紐部材
１６…面ファスナ
１８…基端部分
１７，３２，６２…耳部
２１…紐部材
２２…面ファスナ
２３…開口部
２４…物品収納用袋体
４２…繋止用紐状体部材
５２…支持用芯材
４３ａ，４３ｂ…フック
Ａ…乳母車
【図１】
0004298598.tif 000002
【図２】
0004298598.tif 000003
【図３】
0004298598.tif 000004
【図４】
0004298598.tif 000005
【図５】
0004298598.tif 000006
【図６】
0004298598.tif 000007
【図７】
0004298598.tif 000008
【図８】
0004298598.tif 000009
【図９】
0004298598.tif 000010
【図１０】
0004298598.tif 000011
【図１１】
0004298598.tif 000012
【図１２】
0004298598.tif 000013
【図１３】
0004298598.tif 000014
【図１４】
0004298598.tif 000015
【図１５】
0004298598.tif 000016
【図１６】
0004298598.tif 000017
【図１７】
0004298598.tif 000018
【図１８】
0004298598.tif 000019
【図１９】
0004298598.tif 000020
【図２０】
0004298598.tif 000021